(57)【特許請求の範囲】
【請求項１】
パネルと、
前記パネルの背面に対して突き当たるように配置された基板と、
前記基板上に、該基板に平行に前記パネルに向けて光を発するように配置された発光素子と、
前記発光素子からの光が入り、該光を前記パネルの前面側に導いて出力する導光体とを備え、
前記導光体は、前記基板の端面と前記パネルの背面との間に挟まれて配置されており、
前記導光体には、該導光体を覆って光漏れを防止するカバー部材が取り付けられており、前記カバー部材に、前記基板の端部が嵌め込まれる凹部が設けられていることを特徴とする表示装置。
【請求項２】
前記導光体は、前記基板の上面から突出して設けられ前記発光素子の光が入る入光部と、該光を前記基板の前記端面から離れる方向に出す出光部とを有しており、
前記パネルには、前記導光体の前記出光部を該パネルの前面側に露出させる開口部が設けられており、
前記開口部と前記基板の前記端面とが対峙して設けられ、前記開口部と前記基板の前記端面との間に前記導光体が配置されていることを特徴とする請求項１に記載の表示装置。
【請求項３】
前記開口部は前記パネルの厚み方向に貫通する孔として形成されており、該開口部に前記出光部が嵌め込まれていることを特徴とする請求項２に記載の表示装置。
【請求項４】
前記導光体が前記パネルに仮留めされていることを特徴とする請求項１から３のいずれか一項に記載の表示装置。
【請求項５】
前記基板の端部に切欠き部が設けられており、前記切欠き部と前記凹部とが互いに嵌め合わされていることを特徴とする請求項１から４のいずれか一項に記載の表示装置。
【請求項６】
請求項１から５のいずれか一項に記載の前記表示装置と、前記パネルの前面に露出する端子部品とを備え、前記端子部品が前記基板に搭載されていることを特徴とする電子機器。
【請求項７】
背面に設けられた入光部を通して入る光を、前面に設けられた出光部へ導いて出力する導光体と、
前記導光体の上下左右の側部を囲って光漏れを防止するカバー部材とを備え、
前記カバー部材は、前面側にパネルとの取付面が設けられるとともに、背面側に基板の端部を嵌め込むための凹部が設けられており、
前記出光部が、前記凹部と略同じ高さに設けられていることを特徴とする導光ユニット。
【請求項８】
前記入光部は、前記凹部に前記基板を嵌め込んだ際に、前記基板上に配置された発光素子の光が入る位置に配置されていることを特徴とする請求項７に記載の導光ユニット。
【請求項９】
前記出光部は、前記取付面よりも突出する凸形状に設けられるとともに、前記パネルに設けられた開口部に挿入可能に設けられていることを特徴とする請求項７又は８に記載の導光ユニット。
【発明の詳細な説明】
【技術分野】
【０００１】
本発明は、発光の有無により動作状況等を表示する表示装置及びその表示装置を備える電子機器、並びに表示装置に用いられる導光ユニットに関する。
【背景技術】
【０００２】
発光の有無により動作状況等を表示する表示装置として、例えば特許文献１には、基板（プリント基板）に実装され基板の上方に向けて光を発する発光素子と、基板の上方で発光素子に近接して配設され、発光素子からの光を反射する傾斜面及び反射した光が出ていく表示部とからなる透光部材（具体的には、プリズム等の導光部）とを備えた表示装置が開示されている。この表示装置では、発光素子が実装された基板は、前面パネルに直交して取り付けられている。また、透光部材は、その表示部を前面パネルの貫通穴に挿入して上部周壁を前面パネルに当接させて固定されている。
【０００３】
また、特許文献２には、パネルと、パネルに対して突き当たるように基板固定部を介して取り付けられた基板と、基板上に搭載された発光素子と、パネルに固定された導光ユニットとを備えた表示装置が開示されている。この表示装置の導光ユニットは、基板の下面に配置されており、基板から下方に向けて光を発する発光素子の光をパネル側に向かって導く導光部と、導光部を覆って光漏れを防止するカバー部とから構成されている。導光ユニットは、カバー部に設けられたフランジ部をパネルの裏面に貼り付けることによりパネルに固定されている。また、発光素子が搭載された基板と導光部を備える導光ユニットとは、基板のパネル側の端部をフランジ部に当接するとともに、基板に設けた嵌合穴にカバー部のピンを挿入することにより、位置決めできるようになっている。
【先行技術文献】
【特許文献】
【０００４】
【特許文献１】特開平６−８３２７５号公報
【特許文献２】特許第５３５３１２８号公報
【発明の概要】
【発明が解決しようとする課題】
【０００５】
ところが、特許文献１及び特許文献２に開示される表示装置のように、基板の上面又は下面に向けて発光する発光素子の光を、基板の上方や下方に配置された導光ユニットで受ける構成では、表示装置全体が大型化し、ジャック等の端子部品の近傍に表示装置を配置できないという問題がある。そこで、表示装置の小型化が求められるが、表示装置を小型化すると、その取扱いや組立ても困難なものとなることから、表示装置の取立て作業性の向上も求められている。
【０００６】
本発明は、このような事情に鑑みてなされたもので、小型化を図ることができ、かつ、組立てが容易な表示装置及び電子機器を提供することを目的とする。
【課題を解決するための手段】
【０００７】
本発明の表示装置は、パネルと、前記パネルの背面に対して突き当たるように配置された基板と、前記基板上に、該基板に平行に前記パネルに向けて光を発するように配置された発光素子と、前記発光素子からの光が入り、該光を前記パネルの前面側に導いて出力する導光体とを備え、前記導光体は、前記基板の端面と前記パネルの背面との間に挟まれて配置されており、前記導光体には、該導光体を覆って光漏れを防止するカバー部材が取り付けられており、前記カバー部材に、前記基板の端部が嵌め込まれる凹部が設けられている。
【０００８】
この表示装置では、導光体の全体ないし主要部を、基板の上面側（上方）や下面側（下方）に配置するのではなく、基板の端面とパネルとの間に配置し、基板上のその端面の近傍に搭載された発光素子からの光を導光体で受ける構成としている。これにより、基板上に配置される他の端子部品等の間の僅かなスペースに発光素子を配置して、基板の部品密度を上げることができるとともに、表示装置全体としての小型化を図ることができる。また、導光体は、基板の端面とパネルの背面との間に挟むことで保持されることから、表示装置の組立を容易に行うことができる。
また、カバー部材に設けた凹部をガイドとして、導光ユニットの位置を正確に合わせて組み立てることができる。また、カバー部材の凹部に基板の端部を嵌め込むことで、発光素子の周辺がカバー部材で覆われ、発光装置を備える電子機器において、導光体からその電子機器の筐体内部への光漏れと、筐体内部の光の導光体へ光漏れを防止できる。
【０００９】
本発明の表示装置において、前記導光体は、前記基板の上面から突出して設けられ前記発光素子の光が入る入光部と、該光を前記基板の前記端面から離れる方向に出す出光部とを有しており、前記パネルには、前記導光体の前記出光部を該パネルの前面側に露出させる開口部が設けられており、前記開口部と前記基板の前記端面とが対峙して設けられ、前記開口部と前記基板の前記端面との間に前記導光体が配置されているとよい。
【００１０】
開口部と基板の端面とを対峙させて配置することで、導光体の大部分を基板の端面とパネルとの間で基板の厚みの範囲内に配置できるので、さらに表示装置の小型化を図ることができる。
【００１１】
本発明の表示装置において、前記開口部は前記パネルの厚み方向に貫通する孔として形成されており、該開口部に前記出光部が嵌め込まれているとよい。
パネルの開口部に導光体の出光部を嵌め込んで、パネルと導光体とのおおよその位置決めを容易に行うことができ、組立て作業性が向上する。
【００１２】
本発明の表示装置において、前記導光体が前記パネルに仮留めされているとよい。
基板の端面とパネルとの間に導光体を配置するより前に、予めパネルに導光体を仮留めしておくことで、パネルと導光体とを一体に取り扱うことができ、組立て作業性を向上できる。具体的には、両面テープ等を予めパネルの背面に貼り付けておき、この両面テープで導光体をパネルに仮留めすることができる。
【００１４】
本発明の表示装置において、前記基板の端部に切欠き部が設けられており、前記切欠き部と前記凹部とが互いに嵌め合わされているとよい。
基板に設けた切欠き部とカバー部材の凹部とを互いに嵌め合わせることにより、導光ユニットの位置合わせをより強力に行うことができる。
【００１５】
本発明の電子機器は、前記表示装置と、前記パネルの前面に露出する端子部品とを備え、前記端子部品が前記基板に搭載されている。
【００１６】
本発明の導光ユニットは、背面に設けられた入光部を通して入る光を、前面に設けられた出光部へ導いて出力する導光体と、前記導光体の上下左右の側部を囲って光漏れを防止するカバー部材とを備え、前記カバー部材は、前面側にパネルとの取付面が設けられるとともに、背面側に基板の端部を嵌め込むための凹部が設けられており、前記出光部が、前記凹部と略同じ高さに設けられている。
【００１７】
本発明の導光ユニットにおいて、前記入光部は、前記凹部に前記基板を嵌め込んだ際に、前記基板上に配置された発光素子の光が入る位置に設けられている。
【００１８】
本発明の導光ユニットにおいて、前記出光部は、前記取付面よりも突出する凸形状に設けられるとともに、前記パネルに設けられた開口部に挿入可能に設けられている。
【発明の効果】
【００１９】
本発明によれば、基板上に配置される他の端子部品等の間の僅かなスペースに発光素子を配置して基板の部品密度を上げ、表示装置の小型化を図るとともに、表示装置の組み立てを容易にできる。
【図面の簡単な説明】
【００２０】
【図１】本発明の実施形態に係る表示装置を用いた電子機器全体を示す斜視図である。
【図２】図１に示す電子機器を正面から見た要部図である。
【図３】図２に示す電子機器においてパネルを外して筐体を開口させた状態を示す要部図である。
【図４】図２に示す電子機器のパネルを背面側から見た要部図である。
【図５】図４に示すパネルの側面図である。
【図６】図２に示すＡ‐Ａ線に沿う矢視断面における要部断面図であり、表示装置の組立手順を説明する図である。
【図７】図６と同位置における電子機器の要部断面図であり、表示装置の組立手順を説明する図である。
【図８】図６と同位置における電子部品の要部断面図であり、表示装置の組立手順を説明する図である。
【図９】図１に示す電子機器に設けられる基板の要部斜視図である。
【図１０】図９に対応する基板の要部斜視図であり、端子部品を取り外した状態を示す。
【図１１】導光ユニットを構成する導光体とカバー部材とを説明する斜視図である。
【図１２】導光ユニットと基板との配置関係を説明する斜視図である。
【図１３】本発明のその他の実施形態を示す表示装置の要部断面図である。
【発明を実施するための形態】
【００２１】
以下、本発明の実施形態を図面を参照して説明する。
図１は、本発明の実施形態に係る表示装置を備える電子機器を示す図である。以下、この図１に示す電子機器１００を例に説明を行う。
電子機器１００は、図１に示すように、全体として矩形状とされる筐体９を有し、表示装置１は、この筐体９の前面側に配置されたパネル９１に設けられている。なお、電子機器１００には、筐体９内部に配設される基板２上に取り付けられた端子部品８（例えば、マイク等を接続するＸＬＲ型ジャック）や操作子等の部品が複数設けられているが、図１では、これらの部品の一部のみを表示した。
【００２２】
以降の説明では、パネル９１側を電子機器１００の前側（前面側、正面側）、パネル９１と反対側を電子機器１００の後側（後面側、背面側）とし、電子機器１００の前側から後側を向いた左方向を電子機器１００の左側、右方向を電子機器１００の右側とする。また、電子機器１００の左右方向をｘ方向、電子機器１００の前後方向をｙ方向、電子機器１００の上下方向をｚ方向とする。
【００２３】
表示装置１は、図８に示すように、パネル９１と、基板２と、発光素子としてのＬＥＤチップ３と、ＬＥＤチップ３からの光が入り、その光をパネル９１の前面側に導いて出力する導光体４と、導光体４を覆って光漏れを防止するカバー部材５とを備えている。パネル９１は、前述したように、電子機器１００を構成する筐体９の正面に設けられている。そして、パネル９１には、図２に示すように、筐体９内部に配置された端子部品８を筐体９の外部、すなわちパネル９１の前面側に露出させるための貫通孔９２と、導光体４の出光部４４をパネル９１の前面側に露出させる開口部９３とが設けられている。
【００２４】
この場合、表示装置１は、各端子部品８に係る機能の状態（例えば、マイク用のファンタム電源のオン／オフ状態、入力信号の有／無、信号レベルの大／小等）を示すインジケータであり、電子機器１００には、端子部品８と同数の表示装置１が設けられている。例えば、端子部品８のファンタム電源がオンの場合は、基板２上の制御部（図示せず）から対応するＬＥＤチップ３に電気供給されて、そのＬＥＤチップ３が発光する。一方、端子部品８のファンタム電源がオフの場合は、ＬＥＤチップ３に電気が供給されず、ＬＥＤチップ３は発光しない。
【００２５】
なお、各表示装置１を構成するパネル９１及び基板２は、表示装置１の数と同数設ける必要はなく、パネル９１と基板２とはそれぞれ表示装置１の数よりも少ない数で構成できる。図１に示す例では、端子部品８は、パネル９１の左右方向（ｘ方向）に複数（例えば８個）並べられて列を形成するとともに、これらの列を上下（ｚ方向）に二列並べた配置とされている。このため、筐体９の前面側に配置される一枚のパネル９１に、上下二列にわたり、端子部品８の数と同数（例えば８個×２列）の貫通孔９２があけられている。また、ＬＥＤチップ３も端子部品８と同様に、上下に二列並べて配置されており、パネル９１に、上下二列にわたり、ＬＥＤチップ３の数と同数の開口部９３があけられている。
【００２６】
また、筐体９の内部に配置される基板２は、上下に二枚あり、それぞれの基板２上に、図９及び図１０に示すように、複数の端子部品８と同数のＬＥＤチップ３とが一列に搭載されている。このように、電子機器１００では、複数の表示装置１においてパネル９１と基板２とが共有されている。また、電子機器１００では、パネル９１に設けられた開口部９３は、パネル９１の厚み方向に貫通する孔として形成されている。
また、基板２は、図２及び図８に示すように、パネル９１の背面に対して突き当たるようにして配置されており、パネル９１に交差（例えば、直交）する方向（ｙ方向）に取り付けられている。なお、基板２は、筐体９の底部側にネジ等で固定されている。そして、この基板２上に、前述したように、端子部品８とＬＥＤチップ３とが搭載されている。
【００２７】
また、各ＬＥＤチップ３は、図８に示すように、それぞれ対応する端子部品８の近傍の基板２上に、その基板２に平行に光を発するように配置されている。具体的には、図３に示すように、端子部品８の外面は円柱状に形成されており、その軸方向を面方向（ｙ方向）に沿って基板２上に配置すると、端子部品８の円柱外面と基板２との間に僅かなスペース８５が形成される。各ＬＥＤチップ３は、この端子部品８と基板２との間に設けられる僅かなスペース８５内に配置されている。また、基板２の端部には、カバー部材５が嵌め込まれる切欠き部２１が設けられている。この切欠き部２１は必ずしも設けなくてもよいが、切欠き抜２１を設けることにより、後述する導光ユニット６の位置合わせがより強力になる。
【００２８】
導光体４は、アクリル樹脂等の導光性のある部材から構成されており、図８に示すように、基板２の端面とパネル９１の背面との間に挟まれて配置されている。そして、この導光体４は、ＬＥＤチップ３からの光が入る入光部４１と、その入った光の向きを変更する２つの反射部４２，４３と、向きが変更された光を基板２の端面から離れる方向に出す出光部４４とを有している。
【００２９】
入光部４１は、図８に示すように、導光体４の基板２側に、基板２の上方に、基板２上のＬＥＤチップ３に対向して配置され、ＬＥＤチップ３からの光を受けるように設けられている。また、２つの反射部４２，４３うちの一方の反射部４２は、入光部４１とほぼ同じ高さ位置において入光部４１と対向する位置に設けられており、入光部４１から入る水平方向（ｙ方向）の光Ｌ１を下方向に向けて反射する。そのため、反射部４２は、下方に向かうにしたがって入光部４１から離れる斜め下向きの面として形成されている。そして、他方の反射部４３は、入光部４１よりも下側の基板２の端面とほぼ同じ高さ位置において一方の反射部４２と対向する位置に設けられており、一方の反射部４２で反射された光Ｌ１を、基板２に平行に、パネル９１側（出光部４４）に向かって反射する。そのため、反射部４３は、下方に向かうにしたがってパネル９１に接近するような斜め上向きの面として形成されている。
【００３０】
また、出光部４４は、基板２（及び後述する凹部５３）とほぼ同じ高さ位置において他方の反射部４３と対向する位置に設けられており、他方の反射部４３で反射された光Ｌ１は、出光部４４から、基板２の端面から離れる方向（ｙ方向）に出る。なお、この出光部４４から出る光Ｌ２は、ＬＥＤチップ３から入光部４１に入る光とほぼ平行になる。このように、ＬＥＤチップ３の光は、導光体４を通過する過程で進行方向が順次変更され、最終的に、基板２とほぼ同じ高さで、基板２の端面から離れる方向に出力される。また、導光体４の出光部４４は、円柱凸状に形成されており、パネル９１の開口部９３に挿入可能である。そして、パネル９１の開口部９３と基板２の端面とは対峙して配置され、導光体４の出光部４４を開口部９３に嵌め込んだ状態で、開口部９３と基板２の端面との間に導光体４が挟まれる。なお、出光部４４は四角柱など円柱以外の形状としてもよく、それに合わせ、開口部９３の形状を、出光部４４が嵌められる形状に変更すればよい。
【００３１】
カバー部材５は、合成樹脂等の遮光部材から構成されている。このカバー部材５は、導光体４を覆って、ＬＥＤチップ３や導光体４からの筐体９内部への光漏れを防止するように設けられており、図１１及び図１２に示すように、導光体４の上下左右の側部を囲うフレーム状に形成され、導光体４が嵌め込まれる挿入孔部５１が設けられている。また、カバー部材５は、基板２の上面側に突出して設けられる上部よりも基板２の下面側に突出して設けられる下部の方が幅（ｘ方向の幅）が広く形成されている。カバー部材５の上部と下部とは、幅が広く形成されている方が遮光性が良いので、その観点では、カバー部材５の下部も、上部と同じく幅を広く形成することが望ましいが、端子部品８との干渉を避けるため、上部の幅が下部より狭くなっている。また、カバー部材５の前面は、パネル９１の背面と同様な平坦面で形成されており、パネル９１との取付面５２は、パネル９１との接着面積を稼げるカバー部材５の前面下部の幅広の部分に設けられている。
【００３２】
なお、導光体４の出光部４４は、図８等に示すように、カバー部材５の前面（パネル９１への取付面５２）よりもパネル９１側に突出する凸形状（ここでは、円柱凸状）に設けられる。一方、カバー部材５の背面側には、基板２の端部を嵌め込むための凹部５３が設けられており、カバー部材５は、基板２の端部を凹部５３に嵌め込んだとき、基板２の上面側に突出する上側フランジ部５４と、基板２の下面側に突出する下側フランジ部５５とを有する。そして、これら凹部５２の側壁、上側フランジ部５４、及び下側フランジ部５５により、導光体４の出光部４４以外の部分が、上下方向（ｚ方向）及び左右方向（ｘ方向）に覆われている。また、上側フランジ部５４は、基板２を凹部５３に嵌めたとき、基板２上に搭載されたＬＥＤチップ３、及びＬＥＤチップ３から導光体４の入光部４１までの空間を覆う。
【００３３】
そして、このように構成される導光体４とカバー部材５とは、導光体４をカバー部材５の挿入孔部５１に嵌め込むことによりユニット化され、導光ユニット６となる。なお、導光体４とカバー部材５とは、二色成形技術を用いて一体に成形することで、高精度にユニット化してもよい。その場合、導光体４を形成してからカバー部材５を形成してもよいし、カバー部材５を形成してから導光体４を形成してもよい。
【００３４】
次に、電子機器の組み立てを行う組立工が、上述した表示装置１の部分を組み付ける際の手順について説明する。
組立工は、図３に示すように、まずＬＥＤチップ３が搭載された基板２を筐体９の底部等にねじ止めして固定する。この時、筐体９の前面側は開口している。また、組立工は、図６及び図７に示すように、両面テープ９５等を使って、導光ユニット６の前面下部（取付面５２）をパネル９１の背面に貼り付けて、導光ユニット６をパネル９１に仮留めする。この際、パネル９１の開口部９３に、各導光ユニット６の導光体４の出光部４４が挿入される。これにより、導光ユニット６は、パネル９１上のおおよその位置に位置決めされる。なお、図２及び図４に示すように、両面テープ９５は長尺状であり、パネル９１の複数の開口部９３の直ぐ下に、その長手方向を水平方向（ｘ方向）に沿わせて貼り付けられている。つまり、この１つの両面テープ９５上に複数の導光ユニット６が貼り付けられるが、小片の両面テープを用いて、複数の導光ユニット６を、１つの両面テープで一つずつパネル９１に貼り付けてもよい。また、両面テープに代えて接着剤を使用してもよい。
【００３５】
次に、組立工は、筐体９の前面側の開口にパネル９１を被せる。この際、筐体９の前面側の開口から覗く基板２の前側端部が、カバー部材５の凹部５３に嵌るように配置して被せる。パネル９１上の導光ユニット６の位置が多少ずれていても、パネル９１を被せる際に、導光ユニット６の凹部５３が基板２の端部に設けられた切り欠き部２１により押されて、正しい位置に位置決めされる。この結果、図８に示すように、基板２上のＬＥＤチップ３と各導光体４の出光部４１とが互いに対向して配置された状態で、基板２の端面とパネル９１の背面との間に各導光ユニット６が挟まれて保持される。そして、組立工は、パネル９１をネジ（図示略）によって、筐体９の開口部に固定し、表示装置１に関連する部分の組立てを完了する。この例では、筐体９に基板２を取り付けてから、パネル９１を被せて固定するようにしていたが、この手順を逆にして、まず筐体９にパネル９１を被せて固定してから、筐体９に基板２を固定するようにしてもよい。また、表示装置１の組み立ては、組立工の代わりにロボットが行うようにしてもよい。
【００３６】
以上のように構成される表示装置１では、導光ユニット６（導光体４）を基板２の上面側（上方）や下面側（下方）に配置するのではなく、基板２の端面とパネル９１との間に配置し、基板２上のその端面の近傍に搭載された小さなＬＥＤチップ３（発光素子）からの光を受けるようにしている。これにより、基板２上に配置される他の端子部品８等の間の僅かなスペース８５にＬＥＤチップ３と導光ユニット６（導光体４）を配置して、基板２の部品密度を上げることができるとともに、表示装置１全体としての小型化を図ることができる。また、導光ユニット（導光体４）は、図８に示すように、基板２の端面とパネル９１の背面との間に挟むことで保持されることから、表示装置１の組み立てを容易に行うことができる。
【００３７】
また、パネル９１の開口部９３と基板２の端面とを対峙させ、導光ユニット６（導光体４）を、基板２の端面とパネル９１との間に挟むことで、正しい位置に安定して保持できる。また、本実施形態のように、開口部９３をパネル９１の厚み方向に貫通する孔とし、開口部９３に導光体４の出光部４４を嵌め込むことで、パネル９１上の導光体４のおおよその位置決めを容易に行うことができる。さらに、基板２の端面にパネル９１を対峙して配置する前に、予めパネル９１に導光体４を仮留めしておくことで、パネル９１と導光体４とを一体に取り扱うことができ、組み立て作業性を向上できる。
【００３８】
また、カバー部材５に基板２の端部が嵌め込まれる凹部５３を設けることで、この凹部５３をガイドとして、導光ユニット６と基板２との位置決めを容易に行うことができる。すなわち、凹部５３に沿って基板２を嵌めることで、導光ユニット６が開口部９３から多少浮いていても、基板２の端部で押し込むことができ、基板２に対する導光ユニット６の方向が多少ずれていてもそれを修正できる。また、カバー部材５の凹部５３に基板２の端部を嵌め込むことで、ＬＥＤチップ３の周辺がカバー部材５で覆われ、ＬＥＤチップ３及び導光体４から筐体９内部への光漏れと、筐体９内部の光の導光体４への光漏れを防止できる。
【００３９】
さらに、電子機器１００では、基板２の端部に切欠き部２１を設けており、この切欠き部２１と導光ユニット６の凹部５３とを互いに嵌め合わせることにより、導光体４の光が、凹部５３から横方向へ漏れつことをさらに防ぐとともに、導光ユニット６の位置合わせをより強力に行うことができる。また、基板２の切欠き部２１内に導光ユニット６の一部、すなわち導光体４とカバー部材５の一部を収容するので、基板２の面積を、パネル９１ぎりぎり近接するまで拡大できる。したがって、スペース効率に優れた電子機器１００とすることができる。
【００４０】
なお、上記実施形態の表示装置１では、ＬＥＤチップ３を基板２の上面（端子部品８のある側）上に搭載する構成としていたが、図１３に示す表示装置１０のように、導光体４の上下を逆にした導光ユニット６０を用意して、基板２の下面（端子部品８の無い側）上にＬＥＤチップ３０を搭載して、ＬＥＤチップ３０からの光を導光体４で導く構成とすることもできる。その場合、導光ユニット６０のカバー部材５０は、表示装置１のカバー部材５と同様、基板２の上面側に突出する上部よりも基板２の下面側に突出する下部の方が幅（ｘ方向の幅）が広くなるように形成して、その前面下部にパネル９１との仮留めのための取付面５６を設ければよい。
【００４１】
また、上記実施形態の表示装置１では、導光体４の全体を、基板２の端面とパネル９１との間に配置していたが、導光体４の主要部を基板２の端面とパネル９１との間に配置し、導光体４の入光部４１の全部ないし一部を、基板２の上面ないし下面に突き出して配置してもよい。
さらに、上記実施形態の表示装置１では、パネル９１には厚み方向に貫通し、光を通す孔で形成された開口部９３があったが、パネル９１をアクリル等の透光素材にすれば、開口部９３を無くすことができる。その場合、導光体４の出光部４４を、フラットに形成し、パネル９１との取付面５２から突出しない形状にすればよい。
【００４２】
なお、本発明は上記実施形態に限定されるものではなく、本発明の趣旨を逸脱しない範囲において種々の変更を加えることが可能である。
例えば、上記実施形態では、表示装置１を筐体９の正面側のパネル９１に設けていたが、筐体の正面、背面、上面、下面（底面）、右側面、左側面のいずれの面のパネルに設けてもよい。また、筐体を構成する複数のパネルに、それぞれ表示装置を設けてもよい。
【００４３】
また、基板２上に搭載される端子部品は、ＸＬＲ型ジャックに限らず、ＲＪ４５ジャック、スピーカジャック等、その軸方向を基板に平行にして基板に取り付けるタイプの端子部品であればよい。さらに、上記実施形態では、表示装置１を、各端子部品８に関連する機能の状態を示すインジケータとして設けていたが、本発明の表示装置は、端子部品とは関係なく、限られたスペース内に発光素子の光をパネルの背面側から前面側に導いて出力する表示装置に広く適用できる。
【符号の説明】
【００４４】
１，１０…表示装置、２…基板、３，３０…ＬＥＤチップ（発光素子）、４…導光体、５，５０…カバー部材、６，６０…導光ユニット、８…端子部品、９…筐体、２１…切欠き部、４１…入光部、４２，４３…反射部、４４…出光部、５１…挿入孔部、５２，５６…取付面、５３…凹部、５４…上側フランジ部、５５…下側フランジ部、８５…スペース、９１…パネル、９２…貫通孔、９３…開口部、９５…両面テープ、１００…電子機器
【図１】
0006750235.tif 000002
【図２】
0006750235.tif 000003
【図３】
0006750235.tif 000004
【図４】
0006750235.tif 000005
【図５】
0006750235.tif 000006
【図６】
0006750235.tif 000007
【図７】
0006750235.tif 000008
【図８】
0006750235.tif 000009
【図９】
0006750235.tif 000010
【図１０】
0006750235.tif 000011
【図１１】
0006750235.tif 000012
【図１２】
0006750235.tif 000013
【図１３】
0006750235.tif 000014